(57)【特許請求の範囲】
【請求項１】
セットされた原稿の表裏両面をそれぞれ読み取って表面側画像データと裏面側画像データとを得ることが可能な原稿読取装置において、
設定に応じて、前記セットされた原稿を上下一対の原稿分離用コロの駆動制御により上から順または下のから順のいずれか一方に切り換えて１枚ずつ分離搬送可能な分離搬送手段と、
設定に応じて、前記分離搬送手段から１枚ずつ分離搬送されてくる原稿の表裏両面のうちいずれか一方の面側の画像データを読み取る読取手段と、
前記原稿の表面側を読み取るか裏面側を読み取るかを選択設定する読取面選択手段と、
前記読取面選択手段による選択に応じて、前記分離搬送手段における分離搬送を上から順または下のから順のいずれか一方に設定すると共に前記読取手段における原稿の読取面を表裏両面のうちのいずれか一方に設定することにより、前記原稿の前記読取面選択手段により選択された面側を、前記読取面選択手段による選択によらず先頭頁から順に前記読取手段に読み取らせて画像データを得る読取制御手段とを備えたことを特徴とする原稿読取装置。
【請求項２】
前記読取面選択手段による読取面の選択状態を表示する読取面選択状態表示手段を備えたことを特徴とする請求項１記載の原稿読取装置。
【請求項３】
セットされた原稿の表裏両面をそれぞれ読み取って表面側画像データと裏面側画像データとを得ることが可能な原稿読取装置において、
設定に応じて、前記セットされた原稿を上下一対の原稿分離用コロの駆動制御により上から順または下のから順のいずれか一方に切り換えて１枚ずつ分離搬送可能な分離搬送手段と、
設定に応じて、前記分離搬送手段から１枚ずつ分離搬送されてくる原稿の表裏両面のうちいずれか一方の面側の画像データを読み取る読取手段と、
少なくとも前記セットされた原稿の表裏両面のうちのいずれの面を読取面とするかを使用者識別コードと対応させて登録する使用者別読取面登録手段と、
原稿読取時に入力される使用者識別コードに対応して登録されている読取面に応じて、前記分離搬送手段における分離搬送を上から順または下のから順のいずれか一方に設定すると共に前記読取手段における原稿の読取面を表裏両面のうちのいずれか一方に設定することにより、前記原稿の原稿読取時に入力される使用者識別コードに対応して登録されている読取面側を、前記使用者別読取面登録手段による登録によらず先頭頁から順に前記読取手段に読み取らせて画像データを得る読取制御手段とを備えたことを特徴とする原稿読取装置。
【請求項４】
原稿読取時に入力される使用者識別コードに対応する読取面の登録状態を表示する読取面登録状態表示手段を備えたことを特徴とする請求項３記載の原稿読取装置。
【発明の詳細な説明】
【０００１】
【発明の属する技術分野】
本発明は、原稿読取装置に関し、特にセットされた原稿の表裏両面をそれぞれ読み取って表面側画像データと裏面側画像データとを得ることが可能な原稿読取装置に関する。
【０００２】
【従来の技術】
特開昭６０−１２６９６４号公報にみられるような両面原稿の表裏の画情報を読みとる読取光学系と、読み取られた画像信号の処理手段を備え、一方向の読み取り動作で同時に原稿両面の画像を読み取り伝送するように構成することにより、原稿を裏返す手間と自動原稿供給装置を用いた場合には頁揃えの手間も省けるようにしたファクシミリ送信装置のように、原稿の両面を読み取れるようにするために原稿搬送経路の両側に読み取りセンサを配置した原稿読取装置は以前から提案されていた。
【０００３】
しかし、近年、両面原稿を読み取り可能な原稿読取装置の需要が増えてきたときはいえ、実際には、読み取る原稿の全てが両面原稿であるわけではなく、手書き原稿などの片面原稿を読み取るケースがまだ多いのが現実である。
【０００４】
したがって、両面原稿を読み取り可能な原稿読取装置においては片面原稿を読み取る場合には、２つの読み取りセンサのうちの一方のみが機能し、他方の読み取りセンサは両面原稿読み取り時のみにしか機能しないのでは、２つの読み取りセンサの稼働時間が大きく異なってしまい、必ずしも効率的とはいえない。
【０００５】
また、ファクシミリ装置や複写機やスキャナ装置等の、原稿読取装置を備えた装置においては、その装置自体の小型化の要求から、今まで直線的であった原稿搬送経路をＵ字状にターンさせて構成することにより、原稿搬送経路内に分離給送される原稿を積載保持するためのスペースと、原稿搬送経路から排紙された原稿を積載保持するスペースとを立体的に配置することにより、原稿を積載保持するためスペースを節約するようなレイアウトをとる装置も増えてきている。
【０００６】
このように、原稿搬送経路をＵ字状にレイアウトした原稿読取装置と、従来主流であった直線的なレイアウトの原稿搬送経路をもつ原稿読取装置とでは、片面原稿を読み取る場合に、原稿読取装置にセットされた状態における原稿の上側（原稿読取装置から見た場合の原稿の表面側）の面を読み取るのか、または、下側（原稿読取装置から見た場合の原稿の裏面側）の面を読み取るのかの関係が逆である場合が多い。
【０００７】
つまり、一般に読み取りセンサは振動を避けるため装置中心に近い本体側に設置され、原稿搬送路に対しては下側に位置し、原稿を下から読み取るレイアウトをもつことが多い。この場合、直線的な原稿搬送経路をもつ原稿読取装置では、セットされた原稿の下側（装置からみた裏面側）が読み取られるのに対し、Ｕ字状にターンする原稿搬送経路をもつ装置では、セットされた原稿の上側（装置からみた表面側）が、Ｕ字状にターンする原稿搬送経路内を搬送されることにより反転して、原稿搬送路に対して下側に位置する読み取りセンサに読み取られることになる。
【０００８】
【発明が解決しようとする課題】
したがって、そのような装置毎の構成の相違にあまり関心がない装置の使用者にとっては、片面原稿の読み取らせたい側の面（読み取らせたい画情報が記載された、使用者から見た場合の原稿の表面）を上向きにセットすればよいのか、下向きにセットすればよいのか戸惑いがちであり、誤って原稿のセット向きを間違えれば、原稿の裏面（一般何も記載されていない原稿用紙の無地の面で、使用者から見た場合の裏面）を読み取らせてしまい、原稿読取装置を備える装置がファクシミリ装置であれば、誤送信となってしまい、複写機であれば、白紙コピーとなってしまい、スキャナ装置であれば、無地の原稿用紙の背景の無意味な画像データを読み取ってしまう問題があった。
【０００９】
また、いままで使用していた直線的な原稿搬送経路を持った装置が、Ｕ字状にターンする原稿搬送経路を持った装置に置き換わった場合、習慣として身に付いた原稿のセット方向の変更を装置の使用者に強いることになり、使用者にとって操作上の負担ともなる問題があった。
【００１０】
本発明は係る事情に鑑みてなされたものであり、装置の使用者毎の要求に応じた向きにセットされた原稿を正しく読み取ることができる原稿読取装置を提供することを目的とする。
【００１１】
【課題を解決するための手段】
上記目的を達成するため、請求項１記載の原稿読取装置は、セットされた原稿の表裏両面をそれぞれ読み取って表面側画像データと裏面側画像データとを得ることが可能な原稿読取装置において、設定に応じて、前記セットされた原稿を上下一対の原稿分離用コロの駆動制御により上から順または下のから順のいずれか一方に切り換えて１枚ずつ分離搬送可能な分離搬送手段と、設定に応じて、前記分離搬送手段から１枚ずつ分離搬送されてくる原稿の表裏両面のうちいずれか一方の面側の画像データを読み取る読取手段と、前記原稿の表面側を読み取るか裏面側を読み取るかを選択設定する読取面選択手段と、前記読取面選択手段による選択に応じて、前記分離搬送手段における分離搬送を上から順または下のから順のいずれか一方に設定すると共に前記読取手段における原稿の読取面を表裏両面のうちのいずれか一方に設定することにより、前記原稿の前記読取面選択手段により選択された面側を、前記読取面選択手段による選択によらず先頭頁から順に前記読取手段に読み取らせて画像データを得る読取制御手段とを備えたことを特徴とする。
【００１２】
請求項２記載の原稿読取装置は、請求項１記載の原稿読取装置において、前記読取面選択手段による読取面の選択状態を表示する読取面選択状態表示手段を備えたことを特徴とする。
【００１３】
請求項３記載の原稿読取装置は、セットされた原稿の表裏両面をそれぞれ読み取って表面側画像データと裏面側画像データとを得ることが可能な原稿読取装置において、設定に応じて、前記セットされた原稿を上下一対の原稿分離用コロの駆動制御により上から順または下のから順のいずれか一方に切り換えて１枚ずつ分離搬送可能な分離搬送手段と、設定に応じて、前記分離搬送手段から１枚ずつ分離搬送されてくる原稿の表裏両面のうちいずれか一方の面側の画像データを読み取る読取手段と、少なくとも前記セットされた原稿の表裏両面のうちのいずれの面を読取面とするかを使用者識別コードと対応させて登録する使用者別読取面登録手段と、原稿読取時に入力される使用者識別コードに対応して登録されている読取面に応じて、前記分離搬送手段における分離搬送を上から順または下のから順のいずれか一方に設定すると共に前記読取手段における原稿の読取面を表裏両面のうちのいずれか一方に設定することにより、前記原稿の原稿読取時に入力される使用者識別コードに対応して登録されている読取面側を、前記使用者別読取面登録手段による登録によらず先頭頁から順に前記読取手段に読み取らせて画像データを得る読取制御手段とを備えたことを特徴とする。
【００１４】
請求項４記載の原稿読取装置は、請求項３記載の原稿読取装置において、原稿読取時に入力される使用者識別コードに対応する読取面の登録状態を表示する読取面登録状態表示手段を備えたことを特徴とする。
【００１７】
【発明の実施の形態】
以下、添付図面を参照しながら、本発明の実施の形態を詳細に説明する。
【００１８】
図１は、原稿の両面を読取可能な本発明の実施の形態に係る原稿読取装置を構成の一部として含むファクシミリ装置の模式的断面図を示している。
【００１９】
同図において、装置動作の概略について説明すると、先ず、原稿トレイ１に積載される原稿束Ｐは、一対の原稿分離用コロ２及び３により１枚ずつに分離給送される。
【００２０】
原稿分離用コロ２及び３により１枚ずつに分離され、Ｕ字状の原稿搬送経路Ｋに沿って給送される原稿は、一対のプリフィード用コロ４及び５により更に搬送されつつ反転し、更に一対のフィード用コロ６及び７により搬送されて排紙トレイ８に排紙され積載保持される。
【００２１】
その間に、搬送されることにより副走査される原稿の表面及び裏面の画像は、それぞれ、原稿搬送経路Ｋの下側に配設された表面側読取センサ９、及び、上側に配設された裏面側読取センサ１０により主走査ライン単位で読み取られる。なお、各読取センサの原稿面上の読取位置（スキャンライン）は、裏写り防止のために副走査方向に少しずらしている。なお、以下の本実施の形態の説明では、特に断らない限り、原稿の表裏両面のうち、原稿トレイ１にセットされた状態において上側に向いている面を（原稿読取装置にとっての）表面、下側に向いている面を（原稿読取装置にとっての）裏面としている。これは、片面原稿単独で考えた場合に、一般に文字等の画情報が記載された側の面を表面、反対の無地の面を裏面と呼ぶのとは異なる定義である。
【００２２】
図２は、図１に示したファクシミリ装置のブロック構成を示している。以下、図２及び図１を参照して本実施の形態に係るファクシミリ装置の構成について詳細に説明する。
【００２３】
表面側読取センサ９及び裏面側読取センサ１０は、原稿搬送路Ｋを挟んで対向して配置され、それぞれ原稿トレイ１にセットされた原稿の表面側及び裏面側を主走査ライン単位で読み取るものである。それら読取センサとしては、密着型の等倍センサや縮小光学系をもつＣＣＤセンサ等の既知の読取センサを適用できる。
【００２４】
表面側読取センサ９及び裏面側読取センサ１０は、それぞれ、表面側センサ駆動／画像処理部１１及び裏面側センサ駆動／画像処理部１２により駆動されると共に、それら各読取センサから出力されるライン単位のアナログ画信号は、それぞれ各センサ駆動／画像処理部によりＡ／Ｄ変換されると共にも２値化される。
【００２５】
なお、本実施の形態では、表面側読取センサ９及び裏面側読取センサ１０のそれぞれについて独立した画像処理回路を設けているが、１つの画像処理回路の直前にスイッチを設け、表面側読取センサ９及び裏面側読取センサ１０からのアナログ画信号を交互に入力することで１つの共通の画像処理回路のみで、表面側読取センサ９及び裏面側読取センサ１０からの画信号を処理することもできる。なお、センサ駆動回路も共通とすることも可能であり、その場合、画像処理回路への画信号の切り替えによって、実際に原稿読み取りを行うセンサを選択することになる。
【００２６】
表面側センサ駆動／画像処理部１１及び裏面側センサ駆動／画像処理部１２から出力される、原稿の表面側を読み取って得た表面側ラインデータと、裏面側を読み取って得た裏面側ラインデータとは、制御部１３の制御によりシステムバス１４を介して符号化復号化部１５に送られ、符号化処理される。ただし、本実施の形態の構成では、表面側読取センサ９及び裏面側読取センサ１０の双方が同時的に動作して原稿を読み取る「両面読み取り」と、いずれか一方のみの読み取りセンサが動作して原稿を読み取る「片面読み取り」の場合があるが、「両面読み取り」の場合は、表面側ラインデータと、裏面側ラインデータとを交互に入力して符号化処理する必要が有る。また、送信時には、画像データは、ライン単位ではなく、頁単位で取り扱う必要があるため、符号化されたラインデータを表面側のものと、裏面側のものと分離して、画像メモリ１６に順次記憶することにより表面側頁分の画像データと、裏面側分の画像データとに分離する必要がある。制御部１３は、そのための処理を行う。「片面読み取り」の場合は、必ずしも画像メモリ１６に画像データを蓄積してから送信するいわゆるメモリ送信を行う必要はないが、本実施の形態では、「両面読み取り」及び「片面読み取り」のいずれの場合も読み取った画像データを画像メモリに蓄積してから送信する。
【００２７】
尚、表面側センサ駆動／画像処理部１１及び裏面側センサ駆動／画像処理部１２のうちのいずれか一方と、システムバス１４の間に１頁分のバッファメモリを備え、バッファメモリを備えない側のセンサ駆動／画像処理部からのラインデータを符号化復号化部１５で符号化しながら通信部１７を介して相手装置に送信しつつ、バッファメモリを備えた側のセンサ駆動／画像処理部からのラインデータをそのバッファメモリに一時的に蓄積し、バッファメモリを備えない側のセンサ駆動／画像処理部からのラインデータの１頁分の送信が完了した後に、その蓄積した１頁分のラインデータを符号化復号化部１５で符号化しながら通信部１７を介して相手装置に送信することで、画像メモリ１６なしでの原稿画像の送信も可能である。
【００２８】
符号化復号化部１５は、前述したようにラインデータを符号化すると共に、受信画像データや、画像メモリ１５に蓄積された画像データを復号化して元のラインデータに戻すものである。画像メモリ１６は、前述したように、読み取った画像データを一時的に蓄積するものである。制御部１３は、内蔵するＲＯＭ１３ａに格納された処理手順にしたがって装置各部を制御するための処理を行うマイクロコンピュータである。システムＲＡＭ１８は、制御部１３の作業領域が確保されていると共に一時的な設定情報が格納されるものであり、その記憶内容は、装置電源オフ時においても図示しないバックアップ電源により保持されている。通信部１７は、送信画像データを回線での伝送に適した信号に変調するとともに受信画像信号を復調して画像データに戻す一方、回線接続制御を行うものである。
【００２９】
操作部１９は、装置使用者からの入力操作を受け入れるための各種キー等が配置されたものであり、その操作部１９からの操作信号は、操作部インターフェース２０により、システムバス１４に適合するバスデータに変換され、制御部１３により認識される。表示部２１は、制御部１３から表示部インターフェースに対してバスデータで指示された表示指令に応じた表示を行うものである。なお、操作部１９及び表示部２１については、更に後述する。
【００３０】
Ｉ／Ｏ部２３は、それに接続された各部に対して、制御部１３からのバスデータでセットされたコマンドに応じてた信号を出力する一方、入力された信号をバスデータに変換して制御部１３に通知するものである。
【００３１】
モータドライバ２４は、制御部２３からのコマンドに応じてＩ／Ｏ部２３から出力される駆動制御信号に応じて、フィードモータＭｆ及びプリフィードモータＭｐに駆動パルスを供給するものである。
【００３２】
プリフィードモー夕Ｍｐは、原稿分離用コロ２及び３と、プリフィード用コロ４及び５を駆動するものである。フィードモー夕Ｍｆは、フィード用コロ６及び７を駆動するものである。
【００３３】
プリフィード用コロ４及び５はプリフィードモー夕Ｍｐの駆動タイミングと同期して駆動されるのに対し、原稿分離用コロ２及び３は原稿に対し接したり離れたりできるような、例えば、駆動軸に巻回されたつる巻きばね形状のトルクリミッタの内径が緩む方向に駆動軸を回転させることにより、当該駆動軸からトルクリミッタに対して、文字通り所定量のトルクのみを伝達することにより、その所定量のトルクで原稿分離用コロを原稿に接しさせ、駆動軸をトルクリミッタの内径が締まる方向に回転させることにより、原稿に接している原稿分離用コロを原稿から離間させるような既知の機構をもち、プリフィードモー夕Ｍｐが駆動している状態でも、その駆動力を原稿に対し任意に伝えることが可能である。つまり原稿分離のプロセスにおいては、原稿がプリフィード用コロ４及び５に達するまでは分離用コ口２または３の回転により搬送するがプリフィード用コロによって原稿搬送されるようになった時点で分離用コ口は原稿面から離れ、いわゆるダブルフィードを防ぐ。
【００３４】
プリフィードモータＭｐの駆動力は、原稿分離用コロ用クラッチ２５を介して、原稿分離用コロ２に伝達されると共に、原稿分離用コロ用クラッチ２６を介して、原稿分離用コロ３に伝達される。そして、制御部２３からのコマンドに応じてＩ／Ｏ部２３から出力される駆動制御信号に応じて、それらクラッチを断続させることで、一方の原稿分離用コロのみに、プリフィードモータＭｐの駆動力を伝達することにより原稿に対し接したり離れたりできるような動作可能とし、他方の原稿分離用コロには、プリフィードモータＭｐの駆動力を伝達しないようにすることにより、原稿トレイ１に積載された原稿を上から順に分離給送するか、下から順に分離給送するかを切り換えることができる。
【００３５】
図３は、以上のように構成される本実施の形態に係るファクシミリ装置の操作部１９及び表示部２１の具体的構成を示している。ただし、本発明と直接関係する部分のみを示し、それ以外は図示を省略している。
【００３６】
同図において、操作部１９及び表示部２１は、操作者の目に付やすい位置に配置されている。操作部１９は、ファクシミリ番号等を使用者に入力させるためのテンキー３０と、使用者の入力操作を取り消したり、確定させたりするためのＹｅｓキー３１及びＮｏキー３２と、送信動作を強制的に停止させるためのストップキー３３と、送信開始を開始させるためのスタートキー３４と、両面キー３５と片面キー３６とから構成され、原稿種別が両面か片面かを使用者に入力させるための原稿種別設定キー群３７と、上向キー３８と下向キー３９とから構成され、原稿を上向きにセットして原稿の表面側を読み取らせるか、下向きにセットして原稿の裏面側を読み取らせるかを使用者に入力させるための読取面設定キー群３９と、ＩＤ設定キー４１とＩＤ送信キー４２とから構成されるＩＤキー群４３とから構成されいる。
【００３７】
表示部２１は、液晶表示装置５０を備え、その表示画面５１中には、表示領域Ｒ１（現在は、「片面読み取りモード」と表示されている。）と、表示領域Ｒ２（現在は、「原稿を上向きにセットしてください」と表示されている。）とが確保され、制御部１３からの指示により、種々の定型的なメッセージを表示する。また、表示領域Ｒ１またはＲ２以外の部分には、画像メモリ１６の残量を表示したりするなど、本発明とは直接関係しないメッセージも表示される。
【００３８】
以上の構成において行われる本発明の第１の実施の形態に係る処理手順について、以下説明する。
【００３９】
本実施の形態に係るファクシミリ装置は、「両面読み取り」または「片面読み取り」が可能であるため、使用者は、これから読み取らせようとする原稿が、両面原稿か片面原稿かの原稿種別に合わせて、いずれの読み取り方で原稿を読み取らせたいかを装置に指示する必要がある。
【００４０】
図４は、そのための原稿種別設定処理の手順を示している。同図において、制御部１３は、一般に片面原稿の取り扱い量が、両面原稿のそれに対して多いことを考慮して、原稿種別を「片面」に設定する（処理１０１）。そして、図３に示すように、表示領域Ｒ１に、「片面読み取りモード」とのメッセージを表示する（処理１０２）。
【００４１】
そして、原稿種別設定キー群３７のキーが押下されるのを監視する（判断１０３のＮｏループ）。押下されると（判断１０３のＹｅｓ）、その押下されたキーが、両面キー３５または片面キー３６のいずれかであるかを判断する（判断１０４）。そして、両面キー３５である場合は、原稿種別を「両面」に設定し（処理１０５）、表示領域Ｒ１に、「両面読み取りモード」とのメッセージを表示して（処理１０６）、判断１０３に戻る。片面キー３５である場合は、原稿種別を「片面」に設定し（処理１０１）、表示領域Ｒ１に、「片面読み取りモード」とのメッセージを表示する（処理１０２）。
【００４２】
これにより、原稿種別の設定ができると共に、現在設定されている原稿種別が表示されるため、使用者は、原稿種別が所望の設定になっているかを容易に確認することができ、原稿種別の設定間違いによる読み取りミスを未然に防ぐことができる。
【００４３】
また、本実施の形態に係るファクシミリ装置は、セットされた原稿の表面側を読み取るか、裏面側を読み取るかの設定が可能であり、使用者は、これから読み取らせようとする原稿の表面側を読み取らせたいか、裏面側を読み取らせたいかに応じて、その読み取らせたい面（読取面）を装置に指示する必要がある。
【００４４】
図５は、そのための読取面原稿種別設定処理の手順を示している。同図において、制御部１３は、一般に、使用者が原稿の読取面を表面側に設定する場合が多いであろうことを予想して、読取面を「表面」に設定する（処理２０１）。そして、図３に示すように、表示領域Ｒ２に、「原稿を上向きにセットしてください」とのメッセージを表示する（処理２０２）。
【００４５】
そして、読取面設定キー群４０のキーが押下されるのを監視する（判断２０３のＮｏループ）。押下されると（判断２０３のＹｅｓ）、その押下されたキーが、上向キー３８または下向キー３９のいずれかであるかを判断する（判断２０４）。そして、下向キー３９である場合は、読取面を「裏面」に設定し（処理２０５）、表示領域Ｒ２に、「原稿を下向きにセットしてください」とのメッセージを表示して（処理２０６）、判断２０３に戻る。上向キー３８である場合は、読取面を「表面」に設定し（処理２０１）、表示領域Ｒ１に、「片面読み取りモード」とのメッセージを表示する（処理２０２）。
【００４６】
これにより、読取面の設定ができると共に、現在設定されている読取面が表示されるため、使用者は、読取面が所望の設定になっているかを容易に確認することができ、原稿のセット向きを間違えることによる読み取りミスを未然に防ぐことができる。
【００４７】
以上説明した図４に示した原稿種別設定処理及び図５に示した読取面設定処理により本実施の形態のファクシミリ装置は、使用者が読み取らせようとする原稿の種別と、使用者が望む原稿のセット方向とを認識した上で、図６に示す原稿送信処理を行う。
【００４８】
図６において、制御部１３は、原稿トレイ１に原稿をセットし、相手装置のファクシミリ番号をテンキー３０や、図示しない短縮ダイヤルキーなどで設定した使用者によるスタートキー３４の押下を監視する（判断３０１のＮｏループ）。そして、スタートキー３４が押下されると（判断３０１のＹｅｓ）、設定されている読取面が、「表面」または「裏面」のいずれであるかをチェックする（判断３０２）。
【００４９】
「表面」である場合は、使用者は、読み取らせたい面が上を向くように、原稿を上向きにセットしているはずであるため、原稿分離用コロ用クラッチ２５のみを接続して原稿分離用コロ２のみにプリフィードモー夕Ｍｐの駆動力を伝達することにより、原稿トレイ１上の原稿を上から１枚ずつ分離給送する（処理３０３）。そして、設定されている原稿種別が、「両面」または「片面」のいずれであるかをチェックする（判断３０２）。
【００５０】
「片面」である場合は、表面側読み取りセンサ９のみを動作させて原稿の表面側を読み取って符号化復号化部１５で符号化し、符号化画像データを画像メモリ１６に蓄積する。
【００５１】
「両面」である場合は、表面側読み取りセンサ９及び裏面側読取センサ１０の双方を動作させて原稿の表裏両面を同時的に読み取って符号化復号化部１５で交互に符号化し、表面側符号化画像データ及び裏面側符号化画像データを、表面・裏面の頁順の画像データとして画像メモリ１６に蓄積する（処理３０６）。これにより、原稿種別が「両面」である場合においても、使用者は、使用者から見た場合の原稿の表面側を第ｎ頁と考え、裏面側を第ｎ＋１頁というように、使用者から見た場合の原稿の表面側を裏面側より若い頁と考えて、読取面を「表面」に設定した場合は、若い頁の側が上向きになるようにセットしているはずであるため、正しい頁順に読み取られることになる。
【００５２】
判断３０２における判断結果が、「裏面」である場合は、使用者は、読み取らせたい面が下を向くように、原稿を下向きにセットしているはずであるため、原稿分離用コロ用クラッチ２６のみを接続して原稿分離用コロ２のみにプリフィードモー夕Ｍｐの駆動力を伝達することにより、原稿トレイ１上の原稿を下から１枚ずつ分離給送する（処理３０７）。そして、設定されている原稿種別が、「両面」または「片面」のいずれであるかをチェックする（判断３０８）。
【００５３】
「片面」である場合は、裏面側読み取りセンサ１０のみを動作させて原稿の裏面側を読み取って符号化復号化部１５で符号化し、符号化画像データを画像メモリ１６に蓄積する。
【００５４】
「両面」である場合は、表面側読み取りセンサ９及び裏面側読取センサ１０の双方を動作させて原稿の表裏両面を同時的に読み取って符号化復号化部１５で交互に符号化し、表面側符号化画像データ及び裏面側符号化画像データを、裏面・表面の頁順の画像データとして画像メモリ１６に蓄積する（処理３１０）。これにより、原稿種別が「両面」である場合においても、使用者は、使用者から見た場合の原稿の表面側を第ｎ頁と考え、裏面側を第ｎ＋１頁というように、使用者から見た場合の原稿の表面側を裏面側より若い頁と考えて、読取面を「裏面」に設定した場合は、若い頁の側が下向きになるようにセットしているはずであるため、正しい頁順に読み取られることになる。
【００５５】
さて、処理３０５、３０６、３０９または３１０の後は原稿トレイ１に設けられた既知の原稿検出センサにより、原稿トレイ１上に読み取るべき次の原稿が有るかを調べる（判断３１１）。有る場合（判断３１１のＹｅｓ）は、判断３０２に戻り、全ての原稿を読み取るまで上記手順を繰り返し、いずれ読み取るべき次の原稿がなくなった場合（判断３１１のＮｏ）は、画像メモリ１６に蓄積された画像データをその画像データに対応する原稿の読み取り順に読み出して相手装置に順次送信する（処理３０２）。
【００５６】
以上の処理により、図７に示すように、使用者が自ら読取面を「表面」に設定して、その設定に合わせて原稿を上向きにセットした場合は、セットされた原稿は、自動的に上から頁順に分離給送されると共に、原稿の表面側のみが読み取られて送信される。
【００５７】
また、図８に示すように、使用者が自ら読取面を「裏面」に設定して、その設定に合わせて原稿を下向きにセットした場合は、セットされた原稿は、自動的に下から頁順に分離給送されると共に、原稿の裏面側のみが読み取られて送信される。
【００５８】
これにより、使用者の所望の原稿のセット向きに合わせて、正しい頁順で、読み取るべき面側の画像データを正しく読み取ることができる。
【００５９】
次に、本発明の第２の実施の形態に係る処理手順について、以下説明する。
【００６０】
この第２の実施の形態では、原稿種別の設定については、使用者がこれから読み取らせようとする原稿が、両面原稿か片面原稿かは、原稿を読み取らせるときにならないと確定しないものであるため、第１の実施の形態同様に、図４に示した原稿種別設定処理手順により、その都度設定される。
【００６１】
一方、読取面の設定については、使用者が、原稿を上向きに設定したいか、下向きに設定したいかは、使用者の好みの問題であり、原稿を読み取らせる都度変化するようなものではない。
【００６２】
そこで、この第２の実施の形態では、読取面については、複数の使用者をそれぞれ特定するための識別コードと、それぞれの使用者毎の好みの読取面とを予め設定して登録しておき、使用者が、原稿を送信するために本実施の形態に係るファクシミリ装置を使用する場合に、使用者を特定するための識別コードを入力することで、原稿を読み取らせる度毎に、読取面を設定する煩わしさをなくそうとするものである。なお、第２の実施の形態においても、第１の実施の形態同様に、図５に示した読取面設定手順は実行され得る。
【００６３】
図９は、そのためのＩＤ設定登録手順を示している。同図において、制御部１３は、ＩＤ設定キー４１の押下を監視する（判断４０１のＮｏループ）。ＩＤ設定キー４１が押下されると（判断４０１のＹｅｓ）、表示領域Ｒ２に「ＩＤ番号を入力してＹｅｓキーを押してください」とのメッセージを表示する（処理４０２）。
【００６４】
そして、ＩＤ番号を入力した使用者によるＹｅｓキー３１の押下を監視する（判断４０３のＮｏループ）。押下された場合（判断４０３のＹｅｓ）は、入力されたＩＤ番号をシステムＲＡＭ１８に記憶する（処理４０４）。
【００６５】
さらに、表示領域Ｒ２に「原稿を上向きにセットするなか上向キーを、下向きにセットするなら下向キーを押してください」とのメッセージを表示する（処理４０５）。
【００６６】
そして、読取面設定キー群４０の押下を監視する（判断４０６のＮｏループ）。上向キー３８または下向キー３９のいずれかが押下された場合（判断４０６のＹｅｓ）は、押下されたキーに応じた「表面」または「裏面」のいずかれかを読取面として、処理４０４において、システムＲＡＭ１８に既に記憶されているＩＤ番号と対応付けて記憶する（処理４０７）。
【００６７】
また、本発明とは関係しないその他の設定を更に、ＩＤ番号と対応付けてシステムＲＡＭ１８に記憶する（処理４０８）、その他の設定の例としては、短縮ダイヤルやワンタッチダイヤル等の従来の設定が揚げられる。
【００６８】
最後に、メッセージ表示領域Ｒ２の表示内容を図５に示した読取面設定処理に基づく表示内容に戻す（処理４０９）。
【００６９】
以上の処理が複数の使用者により繰り返されることにより、図１０に示すように、使用者毎のＩＤ番号と登録内容とが対応付けられて記憶される。その登録内容は、前述したように、本発明に係る読取面と、従来同様のその他の設定とに分けられ。図１０では、使用者１については、ＩＤ番号は００１で、読取面は「表面」で、その他の設定は「設定１」であり、使用者２については、ＩＤ番号は００２で、読取面は「裏面」で、その他の設定は「設定２」である。その他の使用者についても同様に設定される。
【００７０】
このように、第２の実施の形態では、第１の実施の形態と同様に図４に示した原稿種別設定処理により、使用者が読み取らせようとする原稿の種別が設定され、図９に示したＩＤ設定登録処理により使用者毎の読取面等が設定登録された上で、図１１に示す原稿送信処理を行う。
【００７１】
図１１において、制御部１３は、原稿トレイ１に原稿をセットし、相手装置のファクシミリ番号をテンキー３０や、図示しない短縮ダイヤルキーなどで設定した使用者による、スタートキー３４またはＩＤ送信キー４２の押下を監視する（判断５０１のＮｏループ）。
【００７２】
そして、スタートキー３４が押下されると、図６に示した第１の実施の形態に係る原稿送信処理の判断３０２に処理を移す。つまり、図４に示した原稿種別設定処理により設定された原稿種別と、図５に示した読取面設定処理により設定された読取面の設定結果に応じて、第１の実施の形態と同様の原稿送信処理を行う。
【００７３】
ＩＤ送信キー４２が押下されると、表示領域Ｒ２に、「ＩＤ番号を入力してＹｅｓキーを押してください」とのメッセージを表示する（処理５０２）。そして、Ｙｅｓキー３１の押下を監視し（判断５０３のＮｏループ）、押下されると（判断５０３のＹｅｓ）、システムＲＡＭ１８に記憶された、図１０に示した対応テーブルを参照して、入力されたＩＤ番号に対応する登録内容をチェックし（処理５０４）、本発明とは直接関係しない短縮ダイヤル等の「その他の設定」に応じた設定を行ってから（処理５０５）、入力されたＩＤ番号に対応する読取面をチェックする。
【００７４】
読取面が「表面」であった場合（図１０において、ＩＤ番号が００１であった場合が含まれる）は、読取面を「表面」に設定し（処理５０７）、表示領域Ｒ２に「原稿を上向きにセットしてぐたさい」とのメッセージを表示する（処理５０８）。
【００７５】
読取面が「裏面」であった場合（図１０において、ＩＤ番号が００２であった場合が含まれる）は、読取面を「裏面」に設定し（処理５０９）、表示領域Ｒ２に「原稿を下向きにセットしてぐたさい」とのメッセージを表示する（処理５０８）。
【００７６】
処理５０８と処理５１０により読取面がどちらに設定登録されているかを表示することにより、使用者は、自分のＩＤ番号が正しく入力できたか、あいるは、自分の好みの読取面が正しく設定登録できていたかを容易に確認することができる。
【００７７】
処理５０８または処理５１０の後は、図６に示した第１の実施の形態に係る原稿送信処理の判断３０１に処理を移す。つまり、図４に示した原稿種別設定処理により設定された原稿種別と、図９に示したＩＤ設定登録手順及び図１１に示した原稿送信処理により設定された読取面の設定結果に応じて、第１の実施の形態と同様の原稿送信処理を行う。
【００７８】
これにより、送信操作毎に読取面を設定しなくても、予めＩＤ番号と対応付けて読取面を設定登録しておくことにより、自動的にＩＤ番号に対応する使用者の好みに応じた読取面が設定されるため、原稿を送信する時毎にセットされた原稿の表裏両面のうちのいずれの面側を読み取るかをいちいち選択する必要がなく、原稿送信操作の操作性が向上する。
【００７９】
なお、以上説明した本発明の各実施の形態においては、図１に示すような、Ｕ字状の原稿搬送経路を備え、原稿トレイ１にセットされた原稿が反転した状態で表面側読取センサ９及び裏面側読取センサ１０に読み取られる構成のものに本発明を適用したが、本発明は、それに限らず、直線的な原稿搬送経路を備えたものについても同様に適用することが可能である。
【００８０】
図１２は、直線的な原稿搬送経路を備えた原稿読取装置の一部構成を示し、図１に示したものに相当する部分に同一符号を付し、説明を省略している。
【００８１】
図１２に示した構成の原稿読取装置においては、一般的に、原稿読取装置からみた場合の原稿の裏面側、すなわち、下向きにセットされた原稿の下側の面が、使用者にとっての原稿の表面側になるようにセットするのが通常であるが、同図に示すように、原稿搬送経路Ｋの下側に裏面側読み取りセンサ１０を配置し、原稿搬送経路Ｋの上側に表面側読み取りセンサ９を配置することにより、使用者にとっての原稿の表面側を原稿読取装置にとっての裏面として読み取る構成とすることで、すなわち、図１に示した原稿読取装置のＵ字状の原稿搬送経路Ｋの曲がりを矯正して直線的な原稿搬送経路Ｋとしたものが図１２に示した原稿読取装置であると考えることで、上述した本実施の形態の説明を適用することが可能である。
【００８２】
また、以上説明した本発明の実施の形態においては、原稿の表裏両面を同時的に読み取るために、原稿搬送経路を挟んで表面側読取センサ及び裏面側読取センサを備えたものに対して本発明を適用したが、それに限らず、１つの読み取りセンサと、原稿反転装置を備え、原稿の一方の面を読み取ってから原稿を反転して次に他方の面を読み取るような構成の原稿読取装置についても、本発明は適用可能である。ただし、読取面の設定によっては、片面原稿であっても原稿の反転動作が繰り返されてしまう場合がある。
【００８３】
また、以上説明した本発明の実施の形態においては、本発明に係る原稿読取装置をファクシミリ装置に適用したが、それに限らず、複写機やスキャナ装置や画像ファイリング装置等のその他の装置に対しても同様に適用可能なものである。
【００８４】
【発明の効果】
請求項１に係る発明によれば、読取面選択手段により装置使用者が原稿の表面側を読み取らせたいか裏面側を読み取らせたいかを選択設定すると、読取手段は、原稿の表裏両面のうち選択設定された面側の画像データを読み取るため、使用者毎の要求に応じた向きにセットされた原稿を正しく読み取ることができ、各使用者にとっては、自分の好みに応じた向きに原稿をセットすることができるため、操作性が向上する。更に、セットされた複数枚の原稿が、分離搬送手段により、前記読取面選択手段による読取面の選択状態に応じて上からまたは下から順に１枚ずつ分離給送されて原稿のセット向きによらず、使用者が意図する先頭頁から順に原稿を読み取ることができる。
【００８５】
請求項２に係る発明によれば、面読取面選択状態表示手段によって前記読取面選択手段による読取面の選択状態が表示されるため、使用者は、読取面が自分の好みに応じた向きに設定されているのかを確実かつ容易に知ることができ、自分の好みの向きとは逆の向きに原稿をセットしてしまったり、どちらの向きに原稿をセットすればよいのか戸惑うことがなくなる。
【００８６】
請求項３に係る発明によれば、使用者別読取面登録手段により、少なくとも、前記セットされた原稿の表裏両面のうちのいずれの面側を読み取るかを使用者識別コードと対応させて登録しておき、読取手段は、原稿読取時に入力される使用者識別コードに対応して登録されている面側の画像データを読み取るため、使用者毎の要求に応じた向きにセットされた原稿を正しく読み取ることができ、各使用者にとっては、自分の好みに応じた向きに原稿をセットすることができるため、操作性が向上する。さらに、原稿を読み取る時毎に前記セットされた原稿の表裏両面のうちのいずれの面側を読み取るかをいちいち選択しなくてもよいため、原稿読取操作がいっそう円滑に行え、操作性がさら向上する。更に、セットされた複数枚の原稿が、分離搬送手段により、原稿読取時に入力される使用者識別コードに対応する読取面の登録状態に応じて上からまたは下から順に１枚ずつ分離給送されて原稿のセット向きによらず、使用者が意図する先頭頁から順に原稿を読み取ることができる。
【００８７】
請求項４に係る発明によれば、読取面登録状態表示手段によって、原稿読取時に入力される使用者識別コードに対応する読取面の登録状態が表示されるため、使用者は、自分の使用者識別コードを正しく入力できたか、あるいは、読取面が自分の好みに応じた向きに正しく設定登録されているのかを確実かつ容易に知ることができ、自分の好みの向きとは逆の向きに原稿をセットしてしまったり、どちらの向きに原稿をセットすればよいのか戸惑うことがなくなる。
【図面の簡単な説明】
【図１】本発明の第１及び第２の実施の形態に係るファクシミリ装置の模式的断面図である。
【図２】本発明の第１及び第２の実施の形態に係るファクシミリ装置のブロック構成図である。
【図３】本発明の第１及び第２の実施の形態に係るファクシミリ装置の操作部の一部及び表示部の一部を示す図である。
【図４】本発明の第１及び第２の実施の形態に係るファクシミリ装置における原稿種別設定手順を示すフローチャートである。
【図５】本発明の第１の実施の形態に係るファクシミリ装置における読取面設定手順を示すフローチャートである。
【図６】本発明の第１の実施の形態に係るファクシミリ装置における原稿送信手順、及び、第２の実施の形態に係る原稿送信手順の一部を示すフローチャートである。
【図７】セットされた原稿の頁順と、送信画像の順番の対応を示す模式図である。
【図８】セットされた原稿の頁順と、送信画像の順番の対応を示す別の模式図である。
【図９】本発明の第２の実施の形態に係るファクシミリ装置におけるＩＤ設定登録手順を示すフローチャートである。
【図１０】図９に示すＩＤ設定登録手順により設定されたＩＤ番号と登録内容との対応例を示す図である。
【図１１】本発明の第２の実施の形態に係る原稿送信手順の一部を示すフローチャートである。
【図１２】本発明の第１及び第２の実施の形態に係るファクシミリ装置の別の模式的断面図である。
【符号の説明】
１  原稿トレイ
２、３  原稿分離用コロ
４、５  プリフィード用コロ
６、７  フィード用コロ
８  排紙トレイ
９  表面側読取センサ
１０  裏面側読取センサ
１１  表面側センサ駆動／画情報処理部
１２  裏面側センサ駆動／画情報処理部
１３  制御部
１３ａ  ＲＯＭ
１４  システムバス
１５  符号化復号化部
１６  画像メモリ
１７  通信部
１８  システムＲＡＭ
１９  操作部
２０  操作部インターフェース
２１  表示部
２２  表示部インターフェース
２３  Ｉ／Ｏ部
２４  モータドライバ
２５、２６  原稿分離用コロ用クラッチ
３０  テンキー
３１  Ｙｅｓキー
３２  Ｎｏキー
３３  ストップキー
３４  スタートキー
３５  両面キー
３６  片面キー
３７  原稿種別設定キー群
３８  上向キー
３９  下向キー
４０  読取面設定キー群
４１  ＩＤ設定キー
４２  ＩＤ送信キー
【図１】
0003566803.tif 000002
【図２】
0003566803.tif 000003
【図３】
0003566803.tif 000004
【図４】
0003566803.tif 000005
【図５】
0003566803.tif 000006
【図６】
0003566803.tif 000007
【図７】
0003566803.tif 000008
【図８】
0003566803.tif 000009
【図９】
0003566803.tif 000010
【図１０】
0003566803.tif 000011
【図１１】
0003566803.tif 000012
【図１２】
0003566803.tif 000013